(57)【要約】【課題】組み立てが容易で、有効な表示機能を発揮する商品陳列用スタンドを提供すること。【解決手段】商品陳列用スタンド１１は、一対の側壁部１５及びその両側壁部１５間に位置する棚部材１６を有するスタンド本体１２と、スタンド本体１２の外側に取り付けられた表示カバー１３と、スタンド本体１２の上端に取り付けられた表示板１４とを有する。両側壁部１５と棚部材１６とを別体に形成するとともに、両側壁部１５と棚部材１６とを貼着して、両側壁部１５を棚部材を介して連結し、両側壁部１５には、棚部材１６の下面を受けるための受け部を切り抜き形成した。【選択図】図１
0003215052.tif 000002
【実用新案登録請求の範囲】
【請求項１】
スタンド本体の両側を形成する一対の側壁部と、その両側壁部間に位置する棚部材とを有する商品陳列用スタンドにおいて、
前記両側壁部と前記棚部材とを別体に形成するとともに、前記両側壁部と前記棚部材とを貼着して、前記両側壁部を前記棚部材を介して連結し、前記両側壁部には、前記棚部材の下面を受けるための受け部を切り抜き形成した商品陳列用スタンド。
【請求項２】
前記棚部材の上面に補強板を着脱可能に設けた請求項１に記載の商品陳列用スタンド。
【請求項３】
前記補強板として棚部材より高剛性のものを用いた請求項２に記載の商品陳列用スタンド。
【請求項４】
前記側壁部の外側面に表示カバーが着脱可能に取り付けられた請求項１〜３のうちのいずれか一項に記載の商品陳列用スタンド。
【請求項５】
前記表示カバーは、ラウンドされた形状である請求項４に記載の商品陳列用スタンド。
【考案の詳細な説明】
【技術分野】
【０００１】
本考案は、缶やボトル入りの清涼飲料水や化粧水などの各種商品を広告表示とともに陳列できるようにした商品陳列用スタンドに関するものである。
【背景技術】
【０００２】
特許文献１には、商品のサンプルを陳列するためのサンプル陳列台が開示されている。この特許文献１のサンプル陳列台においては、サンプル陳列面の前面に、透明で、かつ扁平袋状のサンプル収容部が複数設けられている。そして、各サンプル収容部にサンプルが収容されて保持される。
【０００３】
特許文献２には、日曜雑貨などの商品を展示しながら販売するための複合展示販売台が開示されている。この特許文献２の複合展示販売台は、広告板と、その広告板の前面に位置する販売台とを備えている。
【先行技術文献】
【特許文献】
【０００４】
【特許文献１】特開２０００−２４５６０１号公報
【特許文献２】特開２００７−３０１２００号公報
【考案の概要】
【考案が解決しようとする課題】
【０００５】
前記特許文献１のサンプル陳列台及び特許文献２の複合展示販売台においては、組み立て容易性に対する配慮は施されていない。通常、この種の陳列台は、商品を陳列する量販店などにおいて組み立てられることが多い。従って、その組み立ては、組み立てに習熟していない商品の販売現場の担当者などが行うため、組み立てを円滑に行うことができず、場合によっては、組み立てが行われずに、保管状態で放置されることすらある。
【０００６】
また、特許文献１のサンプル陳列台においては、サンプル陳列面やサンプル収容部の前面にキャッチフレーズなどの広告表示が施されているが、その前面は面積が狭いため、高い広告効果を発揮しているとは言い難い。また、サンプルは、サンプル陳列面の前面の扁平袋状をなすサンプル収容部に収容されるようになっている。このため、薄いものを収容することにしか適さず、例えば、缶やボトルのような円筒状のもの、言い換えれば立体状のものを収容することには適さず、まして、キュービック状のものや大きなものを複数収容することはほとんど不可能である。従って、前述した従来のサンプル陳列台などにおいては、キュービック状のものや大きなものを陳列することは困難である。
【０００７】
本考案の目的は、組み立てを容易に行うことができるようにした商品陳列用スタンドを提供することにある。
【課題を解決するための手段】
【０００８】
上記の目的を達成するために、本考案は、スタンド本体に、そのスタンド本体の両側を形成する一対の側壁部と、その両側壁部間に位置する商品陳列棚とを有する商品陳列用スタンドにおいて、前記両側壁部と前記商品陳列棚とを別体に形成するとともに、前記両側壁部と前記商品陳列棚とを貼着して、前記両側壁部を前記商品陳列棚を介して連結し、前記両側壁部には、前記商品陳列棚の下面を受けるための受け部を切り抜き形成したことを特徴とする。
【０００９】
以上の構成においては、両側壁間に棚部材を組み付ければ、全体を組み立てることができて、組み付けが容易になる。従って、商品陳列用スタンドを商品陳列のために有効に利用することができる。そして、棚部材上には、前述した大きなものなどを陳列できる。
【００１０】
また、商品広告が表示された表示カバーをスタンド本体の外側に取り付ければ、広い表示面積を確保できるとともに、その広告表示を商品陳列棚に陳列した商品と関連付けることができて、有効な表示効果を得ることができる。また、表示カバーが着脱されるため、陳列される商品ごとに、広告などの表示が異なる表示カバーを複数用意しておけば、陳列される商品の変更に容易に対処できる。言い換えれば、スタンド本体を共用することが可能になり、複数種類のスタンド本体を用意する必要がない。
【考案の効果】
【００１１】
本考案によれば、組み立てを容易に行うことができて、商品陳列に供することができる。
【図面の簡単な説明】
【００１２】
【図１】第１実施形態の商品陳列用スタンドの斜視図。
【図２】商品陳列用スタンドの分解斜視図。
【図３】表示カバーの側面図。
【図４】商品陳列用スタンドの縦断面図。
【図５】商品陳列用スタンドの一部横断面図。
【図６】上下方向中間部の棚部材部分の一部断面図。
【図７】下部の棚部材部分の一部断面図。
【図８】第２実施形態の商品陳列用スタンドの斜視図。
【図９】表示カバーの側面図。
【図１０】商品陳列用スタンドの簡略平面図。
【考案を実施するための形態】
【００１３】
（第１実施形態）
以下に、本考案を具体化した第１実施形態を図１〜図７の図面に従って説明する。
図１及び図２に示すように、本実施形態の商品陳列用スタンド１１は、スタンド本体１２と、そのスタンド本体１２に両側に着脱可能に取り付けられた表示部としての表示カバー１３と、スタンド本体１２の上端に着脱可能に立設された表示部としての表示板１４とを備えている。
【００１４】
前記スタンド本体１２は、左右の側壁部１５と、その両側壁部１５と別体であって、両側壁部１５の前後両端縁間の上下３位置においてそれぞれ架設された棚部材１６，１７とを有している。なお、本実施形態においては、図１の矢印方向を前後方向とするが、この前後方向における前部及び後部は特に限定されない。
【００１５】
図３及び図７に示すように、前記棚部材１６，１７は、受け板１９と、その受け板１９の前後に位置する起立部２０とを備えている。この起立部２０は２重構造であって、起立部２０には内側板２１と外側板２２とが設けられている。
【００１６】
前記両側壁部１５は折れ線１８を介して二つ折り可能に形成されている。両側壁部１５の上下３箇所には、それぞれ上下一対の直線状の切り込み３５が形成され、その切り込み３５間の部分（以下、切り抜きという）３６が側壁部１５の内面側に突出されている。図４及び図７に示すように、この切り抜き３６に前記棚部材１６，１７の受け板１９が載置支持されている。
【００１７】
そして、図５及び図６に示すように、棚部材１６，１７の外側板２２の両端部の貼り代２３が側壁部１５の内側面に粘着材（図示しない）を介して貼着されている。外側板２２には、広告などの商品表示が付される。
【００１８】
図１及び図２に示すように、棚部材１６，１７の受け板１９の上面には棚部材１６，１７より剛性の高い厚紙よりなる補強板３９が載置されている。この受け板１９は、起立部２０間に位置している。
【００１９】
両側壁部１５の上端部には表示板１４がその溝部３８において嵌合されて、立設されている。この表示板１４には、広告などの商品表示が付される。
両側壁部１５の外側面には、外側に向かって円筒状に膨らむようにラウンドされた形状の表示カバー１３が装着されている。この表示カバー１３には、広告などの商品表示が付される。
【００２０】
図４〜図６に示すように、表示カバー１３の両側縁の下部には下向きの係止片４２が形成され、両側縁の上下方向中間部には下向き及び上向きの係止片４２，４３が形成されている。そして、下部側の下向きの係止片４２が最下部の棚部材１７の起立部２０に上側から係止されるとともに、上下方向中間部の係止片４２，４３が中間部の棚部材１７の起立部２０に上下から係止されて、表示カバー１３の装着状態に維持されている。
【００２１】
次に、以上のように構成された本実施形態の作用を説明する。
本実施形態の商品陳列用スタンド１１を組み立てる場合には、切り抜き３６を両側壁部１５の内方に突出させる。
【００２２】
この状態で、両側壁部１５間の上下３位置に棚部材１６，１７を配置して、棚部材１６，１７の受け板１９を切り抜き３６の上端に支持する。そして、その棚部材１６，１７の貼り代２３を両側壁部１５の内側面に粘着材を介して貼着する。このようにすれば、棚部材１６，１７の起立部２０が起立されて、商品表示などが付された外側板２２が起立状態になる。また、棚部材１６，１７の受け板１９上に補強板３９を載置する。このようにすれば、補強板３９が起立部２０の内側板２１を外側に押圧するとともに、受け板１９が重量物に耐え得るように補強される。
【００２３】
次いで、表示カバー１３をその係止片４２を棚部材１６，１７の起立部２０に係止することにより、両側壁部１５の外側面に表示カバー１３を取り付ける。
表示カバー１３の取り付けと相前後して、両側壁部１５の上端に表示板１４を取り付ける。
【００２４】
以上のようにすれば、補強板３９の上面に商品を陳列できて、表示板１４などの表示によって陳列商品の宣伝表示状態を形成できる。
そして、本実施形態においては、以下の効果がある。
【００２５】
（１）両側壁部１５に棚部材１６を貼着してスタンド本体１２を組み立て、表示板１４及び表示カバー１３をスタンド本体１２に組み付ければよく、商品陳列用スタンド１１の組み立てを容易に行うことができる。このとき、補強板３９を両側壁部１５間の開口からその両側壁部１５間にスムーズに挿入できるため、陳列用スタンド１１の組み立てがいっそう容易になる。
【００２６】
（２）両側壁部１５の切り抜き３６によって受け板１９及び補強板３９を受ける構成であるため、受け板１９を受けるための専用部品が不要になり、部品点数を少なくして、構成を簡素化できる。
【００２７】
（３）受け板１９上に高剛性の補強板３９が設けられるため、棚部材１６として薄めの板を用いても、十分な強度を確保でき、陳列商品が重いものであっても対応できる。
（４）表示板１４は溝部３８によって両側壁部１５に着脱可能に支持されているため、表示板１４を容易に交換できて、表示デザインの変更などに簡単に対応できる。
【００２８】
（５）表示カバー１３は、係止片４２，４３の係止によって両側壁部１５に着脱可能に支持されているため、表示板１４と同様に表示カバー１３を容易に交換できて、表示デザインの変更などに簡単に対応できる。
【００２９】
（６）表示カバー１３を、それと一体の係止片４２，４３を用いて取り付けるため、表示カバー１３の取り付けのための面ファスナーなどが不要になり、部品点数が少なくなって、構成を簡素化できる。また、表示カバー１３の交換が容易になり、陳列商品の変更に容易に対処できる。
【００３０】
（第２実施形態）
次に、本考案を具体化した第２実施形態を図８〜図１０の図面に基づいて説明する。第２実施形態においては、第１実施形態と異なる部分を中心に説明する。
【００３１】
本実施形態においては、表示板１４の形状が第１実施形態とは異なっている。
また、図８及び図９に示すように、本実施形態においては、表示カバー１３の形状が異なっている。すなわち、左右の表示カバー１３は、それぞれ左右対称形状の一対のカバー片１３１が用いられている。また、係止片４２，４３は、カバー片１３１の一側縁に設けられている。そして、カバー片１３１は第１実施形態とほぼ同様に棚部材１６，１７の起立部２０に対して係止片４２，４３により係止されて一側縁において側壁部１５に取り付けられる。
【００３２】
この場合、図８及び図１０に示すように、カバー片１３１は、その他側縁どうしが相互に押圧された状態で、その接合部が粘着材（図示しない）によって貼着されている。その結果、カバー片１３１は外側面が凹むようにラウンドされている。
【００３３】
第２実施形態は、第１実施形態と同様な効果を得ることができる。
（変更例）
本考案は前記実施形態に限定されるものではなく、以下のような態様で具体化することも可能である。
【００３４】
・表示カバー１３を省略すること。
・表示板１４を省略すること。
・受け板１９の支持構造を変更すること。例えば、受け板１９の一部を側壁部１５に形成されたスリットに差し込んで、受け板１９が側壁部１５に支持されるようにすること。
【００３５】
・表示カバー１３をラウンドしない形状にすること。
【符号の説明】
【００３６】
１１…商品陳列用スタンド、１２…スタンド本体、１３…表示カバー、１５…側壁部、１６…棚部材、１７…棚部材、３９…補強板。
【図１】
0003215052.tif 000003
【図２】
0003215052.tif 000004
【図３】
0003215052.tif 000005
【図４】
0003215052.tif 000006
【図５】
0003215052.tif 000007
【図６】
0003215052.tif 000008
【図７】
0003215052.tif 000009
【図８】
0003215052.tif 000010
【図９】
0003215052.tif 000011
【図１０】
0003215052.tif 000012